【手続補正書】
【提出日】平成17年1月12日(2005.1.12)
【手続補正１】
【補正対象書類名】明細書
【補正対象項目名】特許請求の範囲
【補正方法】変更
【補正の内容】
【特許請求の範囲】
【請求項１】
画素を有する液晶表示装置において、
前記画素は、複数の記憶回路と、Ｄ／Ａコンバータとを有することを特徴とする液晶表示装置。
【請求項２】
画素を有する液晶表示装置において、
前記画素は、ｎ（ｎは、２以上の自然数）個の記憶回路と、前記ｎ個の記憶回路に記憶されたデジタル信号をアナログ信号に変換するＤ／Ａコンバータとを有することを特徴とする液晶表示装置。
【請求項３】
画素を有し、
前記画素は、液晶素子を有し、
アナログ信号が前記液晶素子に入力される液晶表示装置において、
前記画素は、ｎ（ｎは２以上の自然数）個の記憶回路と、前記ｎ個の記憶回路に記憶されたデジタル信号を前記アナログ信号に変換するＤ／Ａコンバータとを有することを特徴とする液晶表示装置。
【請求項４】
画素を有する液晶表示装置において、
前記画素は、ｎ×ｍ（ｎ及びｍは、２以上の自然数）個の記憶回路と、前記ｎ×ｍ個の記憶回路に記憶されたｎビット分のデジタル信号をアナログ信号に変換するＤ／Ａコンバータとを有することを特徴とする液晶表示装置。
【請求項５】
画素を有する液晶表示装置において、
前記画素は、ｎ×ｍ（ｎ及びｍは、２以上の自然数）個の記憶回路と、前記ｎ×ｍ個の記憶回路に記憶されたｎビット分のデジタル信号をアナログ信号に変換するＤ／Ａコンバータとを有し、
前記画素が、ｍフレーム分のデジタル信号を記憶することを特徴とする液晶表示装置。
【請求項６】
請求項１乃至請求項５のいずれか一項において、
ソース信号線を有し、
前記記憶回路及び前記Ｄ／Ａコンバータは、前記ソース信号線と重なって配置されていることを特徴とした液晶表示装置。
【請求項７】
請求項１乃至請求項５のいずれか一項において、
ゲート信号線を有し、
前記記憶回路及び前記Ｄ／Ａコンバータは、前記ゲート信号線と重なって配置されていることを特徴とした液晶表示装置。
【請求項８】
画素を有し、
前記画素は、液晶素子を有する液晶表示装置において、
前記画素は、ソース信号線と、ｎ（ｎは２以上の自然数）本のゲート信号線と、ｎ個のＴＦＴと、ｎ個の記憶回路と、Ｄ／Ａコンバータとを有し、
前記ｎ個のＴＦＴのゲート電極はそれぞれ、前記ｎ本のゲート信号線のうちのそれぞれ１本に接続され、ソース領域とドレイン領域の一方は、前記ソース信号線に接続され、もう一方はそれぞれ、前記ｎ個の記憶回路のうちのそれぞれ１つの入力端子に接続され、
前記ｎ個の記憶回路の出力端子はそれぞれ、前記Ｄ／Ａコンバータの入力端子に接続され、
前記Ｄ／Ａコンバータの出力端子は、液晶素子に接続されていることを特徴とする液晶表示装置。
【請求項９】
画素を有し、
前記画素は、液晶素子を有する液晶表示装置において、
前記画素は、ソース信号線と、ｎ（ｎは２以上の自然数）本のゲート信号線と、ｎ個のＴＦＴと、ｎ個の記憶回路と、ｎ個の入力端子を有するＤ／Ａコンバータとを有し、
前記ｎ個のＴＦＴのゲート電極はそれぞれ、前記ｎ本のゲート信号線のうちのそれぞれ１本に接続され、ソース領域とドレイン領域の一方は、前記ソース信号線に接続され、もう一方はそれぞれ、前記ｎ個の記憶回路のうちのそれぞれ１つの入力端子に接続され、
前記ｎ個の記憶回路の出力端子はそれぞれ、前記Ｄ／Ａコンバータのｎ個の入力端子のうちのそれぞれ１つに接続され、
前記Ｄ／Ａコンバータの出力端子は、液晶素子に接続されていることを特徴とする液晶表示装置。
【請求項１０】
画素を有し、
前記画素は、液晶素子を有する液晶表示装置において、
前記画素は、ｎ（ｎは２以上の自然数）本のソース信号線と、ゲート信号線と、ｎ個のＴＦＴと、ｎ個の記憶回路と、Ｄ／Ａコンバータとを有し、
前記ｎ個のＴＦＴのゲート電極は、前記ゲート信号線に接続され、ソース領域とドレイン領域の一方はそれぞれ、前記ｎ本のソース信号線のうちのそれぞれ１つに接続され、もう一方はそれぞれ、前記ｎ個の記憶回路のうちのそれぞれ１つの入力端子に接続され、
前記ｎ個の記憶回路の出力端子はそれぞれ、前記Ｄ／Ａコンバータの入力端子に接続され、
前記Ｄ／Ａコンバータの出力端子は、前記液晶素子に接続されていることを特徴とする液晶表示装置。
【請求項１１】
画素を有し、
前記画素は、液晶素子を有する液晶表示装置において、
前記画素は、ｎ（ｎは２以上の自然数）本のソース信号線と、ゲート信号線と、ｎ個のＴＦＴと、ｎ個の記憶回路と、ｎ個の入力端子を有するＤ／Ａコンバータとを有し、
前記ｎ個のＴＦＴのゲート電極は、前記ゲート信号線に接続され、ソース領域とドレイン領域の一方はそれぞれ、前記ｎ本のソース信号線のうちのそれぞれ１つに接続され、もう一方はそれぞれ、前記ｎ個の記憶回路のうちのそれぞれ１つの入力端子に接続され、
前記ｎ個の記憶回路の出力端子はそれぞれ、前記Ｄ／Ａコンバータのｎ個の入力端子のうちのそれぞれ１つに接続され、
前記Ｄ／Ａコンバータの出力端子は、前記液晶素子に接続されていることを特徴とする液晶表示装置。
【請求項１２】
請求項８または請求項９において、
ソース信号線駆動回路を有し、
前記ソース信号線駆動回路は、シフトレジスタと、前記シフトレジスタからのサンプリングパルスによってｎビットのデジタル信号を保持する第１のラッチ回路と、前記第１のラッチ回路に保持された前記ｎビットのデジタル信号が転送される第２のラッチ回路と、前記第２のラッチ回路に転送された前記ｎビットのデジタル信号を１ビットずつ順に選択し前記ソース信号線に入力するスイッチとを有することを特徴とする液晶表示装置。
【請求項１３】
請求項８または請求項９において、
ソース信号線駆動回路を有し、
前記ソース信号線駆動回路は、シフトレジスタと、前記シフトレジスタからのサンプリングパルスによって１ビットのデジタル信号を保持する第１のラッチ回路と、前記第１のラッチ回路に保持された前記１ビットのデジタル信号が転送される第２のラッチ回路とを有することを特徴とする液晶表示装置。
【請求項１４】
請求項１０または請求項１１において、
ソース信号線駆動回路を有し、
前記ソース信号線駆動回路は、シフトレジスタと、前記シフトレジスタからのサンプリングパルスによってｎビットのデジタル信号を保持する第１のラッチ回路とを有することを特徴とする液晶表示装置。
【請求項１５】
請求項１０または請求項１１において、
ソース信号線駆動回路を有し、
前記ソース信号線駆動回路は、シフトレジスタと、前記シフトレジスタからのサンプリングパルスによってｎビットのデジタル信号を保持する第１のラッチ回路と、前記第１のラッチ回路に保持されたｎビットのデジタル信号を前記ｎ本のソース信号線に入力するｎ個のスイッチとを有することを特徴とする液晶表示装置。
【請求項１６】
請求項１乃至請求項１５のいずれか一項において、
前記記憶回路はスタティック型メモリ（ＳＲＡＭ）、強誘電体メモリ（ＦＲＡＭ）またはダイナミック型メモリ（ＤＲＡＭ）であることを特徴とする液晶表示装置。
【請求項１７】
請求項１乃至請求項１６のいずれか一項において、
前記記憶回路は、ガラス基板上、プラスチック基板上、ステンレス基板上または単結晶ウェハ上に形成されていることを特徴とする液晶表示装置。
【請求項１８】
請求項１乃至請求項１７のいずれか一項において、
前記液晶表示装置を用いることを特徴とするテレビ、パーソナルコンピュータ、携帯端末、ビデオカメラまたはヘッドマウントディスプレイ。
【請求項１９】
マトリクス状に配置された複数の画素を有する液晶表示装置の駆動方法において、
前記複数の画素はそれぞれ、複数の記憶回路と、Ｄ／Ａコンバータとを有し、
前記複数の画素のうち、特定の行の画素または特定の列の画素が有する前記複数の記憶回路のデータを書き換えることを特徴とする液晶表示装置の駆動方法。
【請求項２０】
複数の画素と、前記複数の画素に映像信号を入力するソース信号線駆動回路とを有する液晶表示装置の駆動方法において、
前記複数の画素はそれぞれ、複数の記憶回路と、Ｄ／Ａコンバータとを有し、
静止画を表示するとき、前記ソース信号線駆動回路の動作を停止することを特徴とする液晶表示装置の駆動方法。
【請求項２１】
請求項１９または請求項２０において、
前記記憶回路はスタティック型メモリ（ＳＲＡＭ）、強誘電体メモリ（ＦＲＡＭ）またはダイナミック型メモリ（ＤＲＡＭ）であることを特徴とする液晶表示装置の駆動方法。
【請求項２２】
請求項１９乃至請求項２１のいずれか一項において、
前記記憶回路は、ガラス基板上、プラスチック基板上、ステンレス基板上または単結晶ウェハ上に形成されていることを特徴とする液晶表示装置の駆動方法。
【請求項２３】
請求項１９乃至請求項２２のいずれか一項において、
前記駆動方法の前記液晶表示装置を用いることを特徴とするテレビ、パーソナルコンピュータ、携帯端末、ビデオカメラまたはヘッドマウントディスプレイ。
【請求項２４】
液晶表示装置と、ＣＰＵとを有する携帯情報装置の駆動方法において、
前記液晶表示装置は、画素中に、複数の記憶回路と、Ｄ／Ａコンバータと、前記複数の記憶回路に信号を出力する駆動回路とを有し、
前記ＣＰＵは、前記駆動回路を制御する第１の回路と、前記携帯情報装置に入力される信号を制御する第２の回路とを有し、
前記液晶表示装置が静止画を表示するとき、前記第１の回路を停止することを特徴とする携帯情報装置の駆動方法。
【請求項２５】
液晶表示装置と、ＶＲＡＭとを有する携帯情報装置の駆動方法において、
前記液晶表示装置は、画素中に、複数の記憶回路と、Ｄ／Ａコンバータとを有し、
前記液晶表示装置が静止画を表示するとき、前記ＶＲＡＭのデータの読み出し操作を停止することを特徴とする携帯情報装置の駆動方法。
【請求項２６】
液晶表示装置を有する携帯情報装置の駆動方法において、
前記液晶表示装置は、画素中に、複数の記憶回路と、Ｄ／Ａコンバータとを有し、
前記液晶表示装置が静止画を表示するとき、前記液晶表示装置のソース信号線駆動回路を停止することを特徴とする携帯情報装置の駆動方法。
【請求項２７】
請求項２４乃至請求項２６のいずれか一項において、
前記複数の記憶回路は、１フレーム期間に１度読み出し操作が行われることを特徴とする携帯情報装置の駆動方法。
【請求項２８】
液晶表示装置を有する携帯情報装置の駆動方法において、
前記液晶表示装置はマトリクス状に配置された複数の画素を有し、
前記複数の画素はそれぞれ、複数の記憶回路と、Ｄ／Ａコンバータとを有し、
前記液晶表示装置は、前記複数の画素のうち、特定の行の画素または特定の列の画素が有する前記複数の記憶回路のデータを書き換えることを特徴とする携帯情報装置の駆動方法。
【請求項２９】
請求項２４乃至請求項２８のいずれか一項において、
前記携帯情報装置は、携帯電話、パーソナルコンピュータ、ナビゲーションシステム、ＰＤＡまたは電子書籍であることを特徴とする携帯情報装置の駆動方法。